(57)【要約】【課題】単衣着物は着用に適した時期が一般に６月頃から９月頃までと短期間に限られ、一方、袷着物は寒い時期に着用できるが家庭で水洗いができず不便であった。そこで、単衣着物に適した時期，袷着物に適した時期のいずれの時期でも快適に着用でき、長い期間で着物を楽しむことができ、しかも家庭で簡単に水洗いでき取り扱いも簡単な画期的で実用性に秀れた取り外し比翼付き着物を提供する。【解決手段】単衣長着１の身頃１Ａ裏面及び左右の袖１Ｂ裏面に夫々比翼２を設け、一対の留め具ｓ１，ｓ２同志を着脱自在に係止し得る留め手段ｓのうち一方の留め具ｓ１を前記各比翼２に設け、他方の留め具ｓ２を前記単衣長着１の裏面に設け、この留め手段ｓによって前記単衣長着１の身頃１Ａ裏面及び左右の袖１Ｂ裏面に前記各比翼２を夫々着脱自在に設けた構成とする。【選択図】図１
2008214774.tif 000002
【特許請求の範囲】
【請求項１】
単衣長着の身頃裏面及び左右の袖裏面に夫々比翼を設け、一対の留め具同志を着脱自在に係止し得る留め手段のうち一方の留め具を前記各比翼に設け、他方の留め具を前記単衣長着の裏面に設け、この留め手段によって前記単衣長着の身頃裏面及び左右の袖裏面に前記各比翼を夫々着脱自在に設けた構成としたことを特徴とする取り外し比翼付き着物。
【請求項２】
前記単衣長着として、木綿製の単衣長着を採用することを特徴とする請求項１記載の取り外し比翼付き着物。
【請求項３】
前記単衣長着の身頃裏面に設ける前記比翼は、前記身頃の衽と対向する部位を、表裏両面に生地表面が表出する袷仕立てに構成したことを特徴とする請求項１，２のいずれか１項に記載の取り外し比翼付き着物。
【請求項４】
前記単衣長着の左右の袖裏面に設ける前記比翼には、この比翼の生地表面が、この比翼の前記単衣長着の袖の裏面と対向する外側面ではなく、内側面となるように設定し、この比翼の袖口を外側に折り返して縫い代が外側となるように仕立てた構成としたことを特徴とする請求項１〜３のいずれか１項に記載の取り外し比翼付き着物。
【請求項５】
前記単衣長着の衿裏面には比翼を設けずに裏衿を逢着した構成とし、この裏衿を逢着した衿は、衿先を前記単衣長着の裏面側上方に向けて少なくとも略５分以上の折り返しを設けた折返し仕立てに構成したことを特徴とする請求項１〜４のいずれか１項に記載の取り外し比翼付き着物。
【請求項６】
前記単衣長着の身頃裏面に着脱する比翼に設けた前記一方の留め具と係止する前記留め手段の他方の留め具は、前記単衣長着の胴回り部位にしてこの単衣長着を着付ける際におはしょりとなる部位に設けた構成としたことを特徴とする請求項１〜５のいずれか１項に記載の取り外し比翼付き着物。
【請求項７】
前記単衣長着の左右の袖裏面に着脱する比翼に設けた前記一方の留め具と係止する前記留め手段の他方の留め具は、前記単衣長着の左右の袖の袖付部位に設けた構成としたことを特徴とする請求項１〜６のいずれか１項に記載の取り外し比翼付き着物。
【発明の詳細な説明】
【技術分野】
【０００１】
本発明は、比翼を着脱自在に設ける取り外し比翼付き着物に関するものである。
【背景技術】
【０００２】
木綿製の着物は、着物特有の優雅なお洒落感を有しながら、その木綿の素朴な風合いから、普段着のようにカジュアルに着こなすことができる。
【０００３】
特に、木綿製の単衣着物は、例えば高い熟練を要する「洗い張り」や、専門の業者による有機溶剤洗い（ドライクリーニング）などの手間やコストのかかる特殊なクリーニング技法（特許文献１など）を用いる必要がなく、家庭で簡単に水洗いすることができるなど、取り扱いが非常に簡単で、着物の上級者から初心者まで、普段使いの衣装として気軽に着用できる秀れたものである。
【０００４】
しかしながら、この木綿製の単衣着物は、一般に、着用に適した時期が６月頃から９月頃まで（夏から秋にかけて）と言われており、通年（特に寒い時期）での着用には適さない。
【０００５】
そこで、単衣長着（表地）に裏地を逢着した、いわゆる袷仕立ての木綿製の着物も従来から製造されている。この袷仕立てタイプによれば、裏地を設けているぶん寒い時期での着用に適し、冬先や春などで良好に木綿製の着物を楽しむことができるものである。
【０００６】
しかしながら、この袷仕立てタイプは、家庭で水洗いできないという欠点を有した。即ち、この袷仕立てタイプは、表地と裏地とを逢着した状態で一緒に水洗いするので、表地と裏地夫々の水による収縮率の違いから、一方の（収縮率の小さい）生地が他方の（収縮率の大きい）生地に引っ張られて引きつった状態となり、これが、ひいては型崩れや生地の損傷などのトラブルの原因となる懸念があるだけに、この袷仕立てタイプは、家庭で簡単に水洗いできず、どうしても「洗い張り」や有機溶剤洗い（ドライクリーニング）などの特殊なクリーニング技法で洗う必要があり、それだけ取り扱いが厄介で不便であった。
【０００７】
【特許文献１】特開２００６−２５５００８号公報
【発明の開示】
【発明が解決しようとする課題】
【０００８】
このように、木綿製の単衣着物は、普段着のようにカジュアルに着こなすことができ、しかも家庭で簡単に水洗いでき取り扱いも非常に簡単であるが、しかし、６月頃から９月頃までと短い期間しか快適に着用できないという欠点を有した。
【０００９】
一方、袷仕立てタイプの木綿製の着物は、寒い時期にも快適に木綿製の着物を楽しむことができる反面、家庭で簡単に水洗いすることができず、その取り扱いが非常に面倒であるという欠点を有した。
【００１０】
本発明は、上述のような現状に鑑み、暖かい時期には裏地（比翼）を取り外した状態で単衣着物のように涼しく快適に着用でき、また寒い時期には裏地（比翼）を取り付けることでそれだけ暖かく快適に着用でき、この裏地（比翼）の着脱によって、長い期間快適に例えば木綿製の着物を楽しむことができ、特に比翼を取り付けた状態では、比翼仕立て風のお洒落感を加味して一層お洒落感を向上でき、尚且つ単衣着物のように家庭で簡単に水洗いでき取り扱いも非常に簡単な極めて画期的で実用性に秀れた取り外し比翼付き着物を提供することを課題とする。
【課題を解決するための手段】
【００１１】
添付図面を参照して本発明の要旨を説明する。
【００１２】
単衣長着１の身頃１Ａ裏面及び左右の袖１Ｂ裏面に夫々比翼２を設け、一対の留め具ｓ１，ｓ２同志を着脱自在に係止し得る留め手段ｓのうち一方の留め具ｓ１を前記各比翼２に設け、他方の留め具ｓ２を前記単衣長着１の裏面に設け、この留め手段ｓによって前記単衣長着１の身頃１Ａ裏面及び左右の袖１Ｂ裏面に前記各比翼２を夫々着脱自在に設けた構成としたことを特徴とする取り外し比翼付き着物に係るものである。
【００１３】
また、前記単衣長着１として、木綿製の単衣長着１を採用することを特徴とする請求項１記載の取り外し比翼付き着物に係るものである。
【００１４】
また、前記単衣長着１の身頃１Ａ裏面に設ける前記比翼２は、前記身頃１Ａの衽と対向する部位を、表裏両面に生地表面が表出する袷仕立てに構成したことを特徴とする請求項１，２のいずれか１項に記載の取り外し比翼付き着物に係るものである。
【００１５】
また、前記単衣長着１の左右の袖１Ｂ裏面に設ける前記比翼２には、この比翼２の生地表面が、この比翼２の前記単衣長着１の袖１Ｂの裏面と対向する外側面ではなく、内側面となるように設定し、この比翼２の袖口を外側に折り返して縫い代が外側となるように仕立てた構成としたことを特徴とする請求項１〜３のいずれか１項に記載の取り外し比翼付き着物に係るものである。
【００１６】
また、前記単衣長着１の衿１Ｃ裏面には比翼２を設けずに裏衿３を逢着した構成とし、この裏衿３を逢着した衿１Ｃは、衿先を前記単衣長着１の裏面側上方に向けて少なくとも略５分以上の折り返しを設けた折返し仕立てに構成したことを特徴とする請求項１〜４のいずれか１項に記載の取り外し比翼付き着物に係るものである。
【００１７】
また、前記単衣長着１の身頃１Ａ裏面に着脱する比翼２に設けた前記一方の留め具ｓ１と係止する前記留め手段ｓの他方の留め具ｓ２は、前記単衣長着１の胴回り部位にしてこの単衣長着１を着付ける際におはしょりとなる部位に設けた構成としたことを特徴とする請求項１〜５のいずれか１項に記載の取り外し比翼付き着物に係るものである。
【００１８】
また、前記単衣長着１の左右の袖１Ｂ裏面に着脱する比翼２に設けた前記一方の留め具ｓ１と係止する前記留め手段ｓの他方の留め具ｓ２は、前記単衣長着１の左右の袖１Ｂの袖付部位に設けた構成としたことを特徴とする請求項１〜６のいずれか１項に記載の取り外し比翼付き着物に係るものである。
【発明の効果】
【００１９】
本発明は上述のように構成したから、単衣長着の裏面に設けた留め具と、比翼に設けた留め具とを係止することで簡単に単衣長着の身頃裏面及び左右の袖裏面に各比翼を夫々着脱自在に設けることができる。つまり、例えば単衣長着から各比翼を取り外した状態で、通常の単衣着物のように着用することもでき、また例えば単衣長着に各比翼を取り付けた状態で着用すれば、単衣着物では寒い時期にも暖かく快適に着用できる。
【００２０】
即ち、気候や温度などに応じて比翼を適宜着脱し、単衣着物に適した時期（例えば６月頃から９月頃まで）だけでなく、例えば寒い時期などにも袷着物のように着用でき、それだけ長い期間にわたって良好に着物を楽しむことができる。
【００２１】
また特に、単衣長着の裏面に各比翼を設けた状態で着用する場合には、各比翼により、いわゆる比翼仕立て風のお洒落感を加味することもでき、よって保温性の向上だけでなく、お洒落感を一層向上することもできる。
【００２２】
更に、前述の通り単衣長着と比翼とは、留め具同志を係脱することで簡単に取り外せるから、このように双方を取り外した状態で個々に水洗いすることができる。即ち、通常の袷仕立てや比翼仕立ての着物のように、表地（単衣長着）に裏地（比翼）を逢着した状態で、これらを一緒に水洗いすると、水に対する収縮率の違いから型崩れや生地の損傷などのトラブルの原因となる懸念があるが、本発明においては単衣長着と比翼とを取り外して個々に水洗いできるからそのような懸念は生じ得ない。
【００２３】
よって、本発明は単衣長着に比翼を簡単に着脱できるから、例えば木綿製の着物を季節に合わせて単衣仕立てのスタイルで着用したり、袷仕立てや比翼仕立てのようなスタイルで着用したりでき、好みのスタイルに簡単に切り替えできると共に、それだけ単衣のシーズンだけでなく秋から冬などの寒い時期も含めた幅広いシーズンで木綿製の着物を楽しむことができ、しかもこの木綿製の着物に比翼仕立て風のお洒落感を加味したり、この比翼を色柄の異なる他の比翼と付け替えるだけで好みに応じた様々なコーディネイトを楽しむこともできるなど、お洒落感を一層増すことができ、尚且つ、従来の袷仕立てや比翼仕立てでは困難であった家庭での水洗いも可能で取り扱いも非常に簡単で、極めて実用性に秀れた画期的で商品価値の高い取り外し比翼付き着物となる。
【００２４】
また、請求項２記載の発明においては、着物特有の優雅なお洒落感を有しながら、その木綿の素朴な風合いから、普段着のようにカジュアルに着こなすことができる木綿製の着物を、単衣の時期にも、単衣では寒い時期にも快適に着用でき、しかも家庭で簡単に水洗いもできるから、この木綿製の着物を長い期間快適にしかも気軽に楽しめる秀れた取り外し比翼付き着物となる。
【００２５】
また、請求項３記載の発明においては、単衣長着の裏面に各比翼を設けた状態で着用すると、着用者の歩く動作などに伴ってこの単衣長着の衽の裏側に比翼が見え隠れする。この点、本発明では、この比翼の前記単衣長着の衽に対向する部位を、表裏両面に生地表面が表出する袷仕立てとしている。つまり、この衽の裏側に見え隠れする比翼の表裏いずれの面が見えた場合にも、比翼の生地表面が見えることになるから、一層見た目や体裁の良い（美しい）秀れた取り外し比翼付き着物となる。
【００２６】
また、請求項４記載の発明においては、単衣長着左右の袖裏面に比翼を設けた状態で着用すると、単衣長着の袖口から袖裏面の比翼の内側面が見え隠れする。本発明では、この単衣長着の袖裏面に設ける比翼の生地表面が、この比翼の内側面となるように設定している。つまり、単衣長着の袖口から比翼の内側面が見えた場合に、この比翼の生地表面が見えることとなるから、一層見た目や体裁の良い（美しい）秀れた取り外し比翼付き着物となる。
【００２７】
また、請求項５記載の発明においては、衿先に裏襟を逢着する構成とするだけでなく、水洗い時の収縮率を考慮して、衿先を前記単衣長着の裏面側上方に向けて少なくとも略５分以上の折り返しを設けた折返し仕立てに構成しているので、仮に水洗いによって単衣長着が比翼に比して大きく収縮しても、裏衿が衿先から表側に表出することを阻止でき、前述のように家庭で簡単に水洗いできる本発明の秀れた利点を損ねる心配もない秀れた取り外し比翼付き着物となる。
【００２８】
また、請求項６，７記載の発明においては、単衣長着の裏面に設けた留め具により、この単衣長着を着用した際の着心地を損ねてしまう心配がなく、違和感なく着用できる。
【００２９】
即ち、請求項６記載の発明によれば、単衣長着の裏面（のおはしょりの部位）に設けた留め具は、実際に単衣長着を着用した際におはしょりの中に隠れ、着用者に直接当たることが阻止されるので、違和感なく着用できる
また、請求項７記載の発明によれば、単衣長着の袖部分の比翼の留め具は、袖付部位に設けたため、実際に単衣長着を着用した際に着用者の肩よりもやや垂れ下がった位置になり、肩に強く当たることはなく、違和感なく着用できるものである。
【発明を実施するための最良の形態】
【００３０】
好適と考える本発明の実施形態（発明をどのように実施するか）を、図面に基づいて本発明の作用を示して簡単に説明する。
【００３１】
本発明は、例えば木綿製の単衣長着１から成る単衣着物でありながら、その単衣長着１の身頃１Ａ裏面及び左右の袖１Ｂ裏面に、夫々比翼２を着脱自在に設けた構成としている。
【００３２】
具体的には、一対の留め具ｓ１，ｓ２同志を着脱自在に係止し得る（例えば面ファスナ，ボタン，スナップなどの）留め手段ｓのうち一方の留め具ｓ１を各比翼２に設け、他方の留め具ｓ２を前記単衣長着１の裏面に設けた構成とし、この一対の留め具ｓ１，ｓ２同志を係脱自在に係止することで、この単衣長着１の身頃１Ａ裏面及び左右の袖１Ｂ裏面に各比翼２を夫々着脱自在に設けることができる。
【００３３】
即ち、この各比翼２を単衣長着１から取り外した状態では、通常の単衣着物として着用でき、この各比翼２を単衣長着１に取り付けた状態では、表地である単衣長着１に裏地を設けた、いわば袷仕立て着物のように寒い時期にも快適に着用できる。
【００３４】
従って、本発明は、例えば単衣のシーズン（６月頃から９月頃）だけでなく、秋から春にかけてなどの寒い時期にも単衣長着１に比翼２を設けることで暖かく快適に着用でき、それだけ幅広いシーズンで例えば木綿製などの着物を楽しめる。
【００３５】
また特に、単衣長着１に比翼２を取り付けた状態では、比翼仕立て風のお洒落感を加味することができるから、保温性の向上だけでなく外観上においても秀れることとなる。
【００３６】
しかも、本発明は、単衣長着１と比翼２とは逢着するのではなく、留め手段ｓを介して簡単に着脱できる構成のため、比翼２を取り外した単衣着物のスタイルと、比翼２を取り付けた比翼仕立てのようなスタイルとの双方を極めて簡単に自在に切替えて着用できることとなる。
【００３７】
尚且つ、単衣長着１と比翼２とを簡単に取り外した上で、個々にクリーニングできるから、家庭で簡単に水洗いすることも可能である。即ち、通常の袷仕立て着物のように、表地と裏地とを互いに逢着した状態で一緒に水洗いすると、この表地と裏地との収縮率の違いから生地が引きつった状態となり、ひいては、型崩れや生地の損傷などのトラブルの原因となる懸念があるが、この点、単衣長着１と比翼２とを取り外して個々に水洗いできる本発明においてはこのような懸念は一切生じ得ない。また、仮に単衣長着１が比翼２より収縮率が大きい場合、例えば後述の実施例のようにこの収縮率を考慮して、予め仕立ての段階で単衣長着１に対して比翼２を小さく（例えば裾を短く）設定しておけば、この単衣長着１と比翼２とを取り外し個々に水洗いした後、再び単衣長着１に比翼２を取り付けた際に単衣長着１の裾先などの端部から比翼２が表に出てしまうことも阻止できる。
【実施例】
【００３８】
本発明の具体的な実施例について図面に基づいて説明する。
【００３９】
本実施例は、単衣長着１の身頃１Ａ裏面及び左右の袖１Ｂ裏面に夫々比翼２を設け、一対の留め具ｓ１，ｓ２同志を着脱自在に係止し得る留め手段ｓのうち一方の留め具ｓ１を前記各比翼２に設け、他方の留め具ｓ２を前記単衣長着１の裏面に設け、この留め手段ｓによって前記単衣長着１の身頃１Ａ裏面及び左右の袖１Ｂ裏面に前記各比翼２を夫々着脱自在に設けた取り外し比翼付き着物である。
【００４０】
尚、本明細書中の「単衣長着」なる記載は、裏地のついていない長着を意味するものである。
【００４１】
以下、各部を具体的に説明する。
【００４２】
図１は、単衣長着１の表面側を示す正面図である。単衣長着１の生地素材としては、木綿，絹，ポリエステルなど種々のものを採用できるが、本実施例においては、木綿を素材とする生地で作った木綿製の単衣長着１を採用し、カジュアルに着こなせる木綿製の取り外し比翼付き着物としている。
【００４３】
また、この単衣長着は、図４及び図５に図示したように、衿先のみ折り返し仕立てとしている。
【００４４】
つまり、本実施例では、単衣長着１の身頃１Ａ裏面及び左右の袖１Ｂ裏面には着脱自在に比翼２を設けるが、この衿１Ｃ裏面には比翼２を設けず、裏衿３を逢着した構成としており、この裏衿３を逢着した衿１Ｃは、衿先を前記単衣長着１の裏面側上方に向けて少なくとも略５分以上の折り返しを設けた折り返し仕立てとする。
【００４５】
このように、単衣長着１の衿１Ｃにあえて比翼２を設けず、裏衿３を逢着した構成とすることにより、普段着のようにカジュアルに着こなすこともできるという木綿着物本来のお洒落感を損なうこともない。即ち、仮に衿１Ｃに比翼２を設けると、留袖などの礼装スタイルのようになってしまい、木綿製の着物と組み合わせると非常に体裁が悪いが、この点、本実施例では衿１Ｃにはあえて比翼２を設けないことで、木綿着物本来のカジュアルなお洒落感は損ねることなく、且つ比翼仕立て風のお洒落感も違和感無く楽しむことができるものである。
【００４６】
また、単衣長着１の裏面所定位置には、前記留め手段ｓの前記比翼２側に設ける一方の留め具ｓ１と係止する他方の留め具ｓ２を所定位置に設けている。
【００４７】
この留め手段ｓは、ボタンや面ファスナー，スナップなどの種々のものを採用できるが、本実施例においては、凹凸一組のスナップ部材ｓ１，ｓ２同志を着脱自在に凹凸係合するスナップ（以下、スナップｓ）を採用する。
【００４８】
単衣長着１の身頃１Ａ裏面に着脱する比翼２（以下、身頃比翼２）に設けた（凸）スナップ部材ｓ１と係止する（凹）スナップ部材ｓ２を、図１及び図２に図示したように、この単衣長着１の胴回り部位にして、この単衣長着１を着用する際におはしょりとなる部位に、胴回り方向に所定の間隔を介して複数並設状態に逢着すると共に、この単衣長着１の衿先の部位にも数個のスナップ部材ｓ２を衿先に沿って斜め下に並設状態に逢着する。
【００４９】
従って、この単衣長着１を着用した際、スナップｓ（スナップ部材ｓ１，ｓ２）がおはしょりの中に隠れ、違和感無く着用できる。
【００５０】
更に、単衣長着１の左右の袖１Ｂ裏面に着脱する比翼２（以下、袖比翼２）に設けた（凸）スナップ部材ｓ１と係止する（凹）スナップ部材ｓ２は、図１及び図２に図示したように、この単衣長着１の左右の袖付部位に、袖付周方向に沿って所定の間隔を介して複数並設状態に逢着する。
【００５１】
従って、この単衣長着１を着用した際、スナップｓ（スナップ部材ｓ１，ｓ２）が、着用者の肩よりもやや外側に逃げて自然に垂れ下がる位置となるので、このスナップｓが着用者の肩に強く当たる心配はなく、よって違和感無く着用できる。
【００５２】
この単衣長着１の身頃１Ａ裏面及び左右の袖１Ｂ裏面に設ける各比翼２は、単衣長着１との収縮率の違いを考慮して寸法を適宜調整設定する。
【００５３】
単衣長着１の身頃１Ａ裏面に設ける身頃比翼２は、図３に図示したように、この単衣長着１の腰より下の部位と略等しい布形状である。詳述すると、水による収縮率（本実施例は、身頃比翼２に比して単衣長着１のほうが収縮率が大きいものとする）を考慮し、単衣長着１が水洗いにより多少収縮しても身頃比翼２が表側にはみださないように設定する。
【００５４】
本実施例では、この身頃比翼２は、袋縫いで裾は丈褄下寸法＋四寸上がり（身頃と衽は同寸）の位置で三ツ折ぐけにする。
【００５５】
また、図９に図示したように、衽付は、つまみ縫いにして衽巾３寸九分上がり（通し巾）で袷仕立てとし、図３及び図８に図示したように、この身頃比翼２の前記単衣長着１の衽と対向する部位は、表裏両面にこの身頃比翼２の生地表面が表出するように仕立てる。
【００５６】
更に、この身頃比翼２の前記単衣長着１の衿先に重合する部位は、斜めに折り、縫い代を内側に折り込んで、くけておく。
【００５７】
また、スナップｓ（留め手段ｓ）の一方の（凸）スナップ部材ｓ１を、この身頃比翼２の生地表面の上縁部に、横方向に所定の間隔を介して複数並設状態に逢着している。
【００５８】
この単衣長着１の左右の袖１Ｂ裏面に設ける袖比翼２は、単衣長着１の袖１Ｂの寸法に対して、袖丈を−３分上がり，袖巾を−１分上がり，丸みは表地と同じとした寸法とする。（袖底は袋縫いの始末）。
【００５９】
また、袖付部分は振りと同様に三ツ折ぐけで全てくけておく。
【００６０】
また、この袖比翼２のスナップｓは，袖付部に沿ってスナップｓの一方の（凸）スナップ部材ｓ１を外側に逢着する。
【００６１】
また、この袖比翼２は、生地表面が外側面（単衣長着１の袖１Ｂの裏面と対向する面）ではなく、内側面となるように設定し、図６及び図７に図示したように、縫い代が外側となるように仕立てる。
【００６２】
以上、本実施例は、例えば図３に図示したように、単衣長着１から各比翼２を取り外した状態で、通常の単衣着物のスタイルで着用することができ、また、図１及び図２に図示したように、単衣長着１の裏面に逢着した各スナップ部材ｓ２と、各比翼２に逢着した各スナップ部材ｓ１とを夫々凹凸係止する簡単な作業で、比翼仕立てのようなスタイルで着用することもできるため、着用する時期の気候や温度に合わせて前述した双方のスタイルを簡単に切り替えて着用することができ、単衣のシーズンだけでなく秋から春にかけての寒い時期にも良好に木綿製の着物を楽しむことができる。
【００６３】
また、特に比翼２を単衣長着１に取り付けた状態で着用する場合には、木綿製の着物に、新たに比翼仕立て風のお洒落感を加味することもでき、一層お洒落感を増すことができる。また、例えば異なる色柄の比翼２を用意しておいて、気分や季節に応じて取り替えるだけで様々なコーディネイトを楽しむこともできる。
【００６４】
また、この単衣長着１と各比翼２とを取り外して個々に水洗いすることで、型崩れや生地損傷のトラブルの心配なく良好に水洗いできる。この際、単衣長着１が水により多少収縮しても、上述のように本実施例では予め各比翼２と単衣長着１との水による収縮率の違いを考慮した寸法設定をしているので、単衣長着１が水洗いによって多少収縮したとしても、この単衣長着１に比翼２を取り付けた際に単衣長着１の裾下などの端部から比翼２が不必要にはみ出て体裁を損ねる心配も無く、家庭で簡単に水洗いでき取り扱いも非常に簡単であるなど、極めて画期的で実用性に秀れた取り外し比翼付き着物となる。
【００６５】
尚、本発明は、木綿製の着物が有する不便さを解決し、カジュアルな着こなしが可能な木綿性の着物を単衣のシーズンも袷着物のシーズンも快適に楽しめて、しかも家庭で簡単に水洗いもできることとしたものであるが、他の素材（絹やポリエステルなど）に応用した場合においても、機能性やファッション性の向上を確実に図り得るものである。
【００６６】
また、本発明は、本実施例に限られるものではなく、各構成要件の具体的構成は適宜設計し得るものである。
【図面の簡単な説明】
【００６７】
【図１】本実施例に係る取り外し比翼付き着物の表面側を示す説明正面図である。
【図２】本実施例に係る取り外し比翼付き着物の裏面側を示す説明背面図である。
【図３】本実施例に係る取り外し比翼付き着物の説明分解図である。
【図４】本実施例に係る取り外し比翼付き着物の衿１Ｃの衿先の説明図である。
【図５】本実施例に係る取り外し比翼付き着物の衿１Ｃの衿先の説明図である。
【図６】本実施例に係る取り外し比翼付き着物の袖１Ｂの説明図である。
【図７】本実施例に係る取り外し比翼付き着物の袖１Ｂの説明図である。
【図８】本実施例に係る取り外し比翼付き着物の裏面にして衽の裾の位置の説明図である。
【図９】本実施例に係る取り外し比翼付き着物の身頃１Ａ裏面に設ける比翼の説明断面図である。
【符号の説明】
【００６８】
１  単衣長着
１Ａ  身頃
１Ｂ  袖
１Ｃ  衿
２  比翼
３  裏衿
ｓ  留め手段
ｓ１  留め具
ｓ２  留め具
【図１】
2008214774.tif 000003
【図２】
2008214774.tif 000004
【図３】
2008214774.tif 000005
【図４】
2008214774.tif 000006
【図５】
2008214774.tif 000007
【図６】
2008214774.tif 000008
【図７】
2008214774.tif 000009
【図８】
2008214774.tif 000010
【図９】
2008214774.tif 000011